(57)【要約】  電子画面を有する装置との近接作業によって引き起こされる、視力低下を防止するためのシステムおよび方法が提供される。システムは、電子画面に加えて、ユーザーに向けられた距離検出機を具備し得る。システムはまた、距離検出機に結合された処理回路を含み得る。処理回路は、校正距離に対するユーザーの頭部と画面との間の距離を判定し、それが校正距離より短い（ユーザーを将来の視力低下および近視の進行の危険にさらす）場合、ユーザーに通知する回路に制御信号を送ることができる。処理回路が、前記距離が校正距離と等しいかそれよりも長いと判断した場合、回路動作部は通知を停止することができる。通知は、前記相対距離によって調整することができ、それによりユーザーは無意識にディバイスを遠ざけることができる。
2019523514.tif 000002
【特許請求の範囲】
【請求項１】
ディバイス（１００、２００、３００、４００）の電子画面（１０５、２１３、３０７、４０１）によって引き起こされる、視力低下を防止するためのコンピュータ実施方法で、以下を含む。
−ユーザーの頭部の少なくとも一部（２９０）と装置（１００、２００、３００、４００）の電子画面（１０５、２１３、３０７、４０１）との間の距離を検出する。
−校正距離と検出距離との間の比較を実行する。
−比較に従って、画面（１０５、２１３、３０７、４０１）への不適切な距離をユーザーに通知する。
【請求項２】
前記校正距離は、前記装置の前記画面に表示された複数の所定の値の中から選択することにより、ユーザーによって、あらかじめ定義されている、請求項１に記載のコンピュータ実施方法。
【請求項３】
前記校正距離は、値を指定することによりユーザーによって、あらかじめ定義されている、請求項１に記載のコンピュータ実施方法。
【請求項４】
前記校正距離は、画面を選択した距離に置くことで、ユーザーによって、あらかじめ定義されている、請求項１に記載のコンピュータ実施方法。
【請求項５】
前記距離が、以下によってカメラにより検出される、請求項１から４のいずれかに記載のコンピュータ実施方法。
−ユーザーの頭部（２９０）の少なくとも一部を含む画像を捉える。
−頭部（２９０）の前記部分に対応する画像内の画素数を決定し、画素数とユーザーまでの距離との間の関係を確立する。
【請求項６】
校正距離はカメラのパラメータに従って調整され、前記パラメータが以下のうちの一つである、請求項５に記載のコンピュータ実施方法。
−焦点距離
−画素サイズ
−画素ピッチ
−イメージセンサーとカメラレンズとの間の距離、または、それらの任意の組み合わせ。
【請求項７】
請求項１から６のいずれかに記載のコンピュータ実施方法で、不適切な距離のユーザーへの前記通知は、以下を含む。
−画面の少なくとも一部をぼかす（１０５、２１３、３０７、４０１）
−画面の少なくとも一部の色相を変更する（１０５、２１３、３０７、４０１）
−画面の少なくとも一部の彩度を変更する（１０５、２１３、３０７、４０１）
−画面の少なくとも一部の輝度を変更する（１０５、２１３、３０７、４０１）
−画面にメッセージを表示する（１０５、２１３、３０７、４０１）
−ディバイス（１００、２００、３００、４００）のスピーカーで音を発生させる
−ディバイス（１００、２００、３００、４００）の振動コンポーネントに振動を発生させる、またはそれらの任意の組み合わせ。
【請求項８】
前記不適切な距離をユーザーに通知することは、検出された距離と校正距離との間の比に基づいて変調される、請求項７に記載のコンピュータ実施方法。
【請求項９】
ディバイス（１００、２１０、３００、４００）の電子画面（３０７）によって引き起こされる視力低下を防止するためのシステムで、以下を含む。
−距離センサーは、距離センサーは、ユーザーの頭部の少なくとも一部と、
装置（１００、２００、３００、４００）の電子スクリーン（１０５、２１３、３０７、４０１）との間の距離を検出するように構成される。
−距離センサーを制御するように構成された制御回路（１０１、２１１）
−校正距離と検出された距離との間の比較を実行し、さらにその比較に従ってスクリーン（１０５，２１３，３０７，４０１）への不適切な距離をユーザーに通知するために制御回路（１０１、２１１）と協働するように構成される処理回路（１０７，２１４）。
【請求項１０】
請求項９に記載のシステムであり、ここでは距離センサーは以下を含む。
−イメージセンサー
−誘導センサー
−静電容量センサー
−光電センサー
−光エレクトロニクスセンサー
−磁気センサー
−音響センサー、またはそれらの任意の組み合わせ。
【請求項１１】
距離センサーは、ユーザーの頭部（２９０）の少なくとも一部を含む画像を捉えるための制御回路（１０１、２１１）によって制御されるカメラ（２１５）を備え、処理回路（１０７、２１４）は、頭部（２９０）の前記部分に対応する画像内の画素数を割り出し、距離との関係を確立するように構成される、請求項９または１０に記載のシステム。
【請求項１２】
立体的距離割り出しのための追加カメラ（２１６）をさらに含む、請求項１１に記載のシステム。
【請求項１３】
制御回路（１０１、２１１）は、検出された距離と校正距離との間の比に基づいて、ユーザーの不適切な距離の通知を変調するように構成されている、請求項９から請求項１２のいずれかに記載のシステム。
【請求項１４】
さらに以下を含む、請求項９から請求項１２のいずれかに記載のシステム。
−校正距離と検出距離とを含むユーザー情報を記憶するように構成された記憶装置（１０２）および
−保存された情報をネットワークに送信するように構成された通信回路（１０３）。
【請求項１５】
請求項９から請求項１４のいずれかに記載のシステムを含む装置で、以下のうちの一つである装置。
−携帯電話
−タブレット
−スマートテレビ
−携帯情報端末
−ラップトップコンピュータ
−デスクトップコンピュータ
−独立型カメラ
−ゲーム機
−ビデオレコーダー
【請求項１６】
ディバス（１００、２００、３００、４００）のプロセッサによって実行されると、プロセッサに請求項１から請求項８のいずれかに記載の方法を実行させる、コンピュータ可読命令を格納したコンピュータプログラム製品。
【発明の詳細な説明】
【技術分野】
【０００１】
これは、視覚光学、生理学光学、電子工学およびコンピューターの分野に関連する。特に、これは近視のような近距離での、電子画面の長期使用による視力障害防止のためのシステムおよび方法に関する。
【背景技術】
【０００２】
携帯機器、特に小さな画面を備えた機器の長期間の使用は、眼精疲労、ぼけ視、頭痛、筋肉の緊張、角結膜乾燥ドライアイなどの目の症状を引き起こすことがある。また長期的には、近視の進行の原因の一つとなることがある。
【０００３】
近視（または近眼）は、眼球の進行性および過剰な伸長と関連しており、これは強膜、脈絡膜、網膜色素上皮組織および神経網膜の変性変化を伴う可能性がある。それは世界中に広がる重大な公衆衛生問題であり、最近数十年で有病率が急速に増加している、失明の主な原因である。
【０００４】
長時間の近接作業は、目が近距離での刺激に順応し続け、近視の進行の原因となるため、眼球の伸長を誘発すると考えられている。
【０００５】
近視の進行を制御し、目の軸方向の伸びを止めるための麻薬治療薬による調節、角膜の再形成、多焦点コンタクトレンズなど、いくつかの治療方法が開発されてきた。
【０００６】
電子画面および距離センサー（例えば、カメラ）を備えた電子装置の使用に基づいた、近視の進行防止のいくつかの解決策が提案されているが、どれも距離センサーパラメータ（例えば、カメラの焦点距離）を知らずに、校正距離に対して電子画面とユーザーの頭間の距離の使用を可能にする、校正手順を具備していない。既知の解決策はまた、前記距離によって警告信号を変調する可能性にし、ユーザーが本能的に前記校正距離を超えて装置を遠ざける可能性を具備していない。従って、今日現在、電子画面および距離センサーを備えた電子装置に適用可能な、視力低下および近視の進行を防止する実用的な解決策は、提案も実施もされていない。さらに、すでに市場に出ている電子機器の性能が、視力低下および近視の進行を防ぐために十分に利用されてはいない。
【発明の概要】
【０００７】
本発明は、電子画面を有する装置での近接作業によって引き起こされる視力低下防止のシステムおよび方法に関する。システムは、電子画面に加え、ユーザーに向けられた距離センサーを含み得る。システムはまた、距離センサーに結合された処理回路と、電子画面に結合された制御回路とを含み得る。処理回路が、ユーザーの頭部と装置との間の距離が校正距離よりも短いと判断した場合、制御回路に制御信号を送信してユーザーに通知することが可能である。処理回路が前記距離が校正距離以上だと判断した場合、制御回路は通知を停止するか、または通知を起動させないようすることができる。
【０００８】
いくつかの実施形態では、装置は、校正距離に対する、処理回路によって決定される、ユーザーの頭部と装置との間の、実際の距離の間の関係に基づいて、電子画面の動作を修正することができる。例えば、ユーザーが近距離で装置を使用している可能性があり、それによりユーザーは視力低下の危険にさらされることがある。装置の距離センサーに結合された処理回路は、校正距離を使用して前記相対距離を決定し、以下によってユーザーに通知することができる。例えば、電子画面の色をぼかしたり、暗くしたり、色を変えたりして、ユーザーが本能的に装置を動かすようにすることができる。別の例として、装置は、画面上に情報を表示すること、スピーカーから音を発すること、装置を振動させること、または上記のいずれかの組み合わせによってユーザーに通知することができる。
【図面の簡単な説明】
【０００９】
以下の詳細な説明を伴う図面は、本発明の本質およびその利点をさらに説明するのに役立つ。
【図１】本発明の一実施形態による電子画面を有する装置との近接作業によって引き起こされる視力低下を防止するための例示的な電子装置のブロック図である。
【図２ａ】カメラが距離センサーとして使用される、本発明の一実施形態による視力低下防止のための例示的なシステムの概略図である。
【図２ｂ】二つのカメラが距離センサーとして使用される、本発明の一実施形態による視力低下防止のための例示的システムの概略図である。
【図２ｃ】信号エミッタと結合された検出器が距離センサーとして使用される、本発明の一実施形態による視力低下防止のための例示的システムの概略図である。
【図３】本発明の一実施形態による視力低下防止のために電子装置を構成するための例示的な画面の例示図である。
【図４】本発明の一実施形態による視力低下防止のために電子装置を校正するための例示的画面の例示図である。
【図５】本発明の一実施形態による視力低下を防止するために電子装置を校正するための例示的なプロセスの流れ図である。
【図６ａ】距離センサーが一つ以上のカメラを含む、本発明の一実施形態による視力低下防止のための例示的なプロセスの流れ図である。
【図６ｂ】距離センサーが一つ以上のカメラを含む、本発明の一実施形態による視力低下防止のための例示的なプロセスの流れ図である。
【発明を実施するための形態】
【００１０】
これは、電子画面を具備する装置との近接作業が引き起こす、視力低下を防止するためのシステムおよび方法に関する。電子機器は、ユーザーに向けられた距離センサーを使用してユーザーと電子画面との間の距離を決定し、そして、距離が校正距離よりも短く、使用者が視力低下および近視の進行の危険にさられる場合には使用者に通知する。例えば、電子機器は、ユーザーの頭部を受動検知する処理回路に結合されたカメラを含むことができる。画像処理回路は、カメラからの画像（例えば、単一の写真またはビデオフレーム）を分析し、それらがユーザーの頭の少なくとも一部（以下、「ユーザーの頭」と称する）の画像を含むかどうか判定できる。処理回路が、ユーザーの頭部と装置との間の距離が校正距離よりも短いと判断した場合、例えば画面上に情報を表示して音を発することによって、制御回路に制御信号を送信してユーザーに通知することができる。他方では処理回路が、ユーザーの頭部と装置との間の距離が校正距離に等しいかそれよりも遠いと判断した場合、制御回路は通知を停止するかまたは開始させないことができる。
【００１１】
また制御回路は、例えば電子画面の色をぼかす、暗くする、または変更するなどにより、ユーザーが本能的に装置を遠ざけるように、装置または装置の一つ、または複数の構成要素の動作を変更できる。
【００１２】
さらに、この修正の強度は、更正距離に対するユーザーの頭部と装置の間の距離の比率によって調整できまる。例えば、前記の比率が下がるにつれ、徐々に画面をぼかしたり、暗くしたりすることができる。
【００１３】
図面１は、本発明の一実施形態による、電子画面を有する装置での近接作業が引き起こす視力低下を防止する、例示的な電子装置の概略図である。電子装置１００は、制御回路１０１、記憶装置１０２、通信回路１０３、入力インターフェース１０４、画面１０５、距離センサー１０６、および処理回路１０７を具備し得る。いくつかの実施形態においては、電子装置１００は、振動成分、スピーカー、マイク、加速度計、回転儀、または前述の構成要素のいずれかの組み合わせといった、図に含まれていない他の構成要素を具備し得る。
【００１４】
電子機器１００は、電子画面とユーザーの頭部と機器との間の距離を判断する能力のある任意の適切な種類の機器を含み得る。例えば、電子装置１００は、カメラを備えた次の装置のいずれかを含むことができる。携帯電話、タブレット、「スマート」テレビ、携帯情報端末（ＰＤＡ）、ラップトップまたはデスクトップコンピュータ、独立型カメラやビデオレコーダー、その他の適切な機器。
【００１５】
制御回路１０１は、電子装置１００の機能、動作および性能を制御するように設計された任意の回路およびプロセッサを具備し得る。記憶装置１０２は、ＨＤＤ、ＳＳＤ、ＲＡＭ、ＲＯＭ、ＣＦのＳＤ（例えばセキュアデジタル）カード（例えばコンパクトフラッシュ（登録商標））のようなフラッシュメモリ、カード、または装置１００に適した他のタイプのメモリなどの、任意の種類の内部または外部メモリなどの一つまたは複数の記憶媒体を具備し得る。通信回路１０３は、装置を通信ネットワークに接続し、例えば、Ｗｉ−Ｆｉ（登録商標）（例：８０２．１１プロトコル）、Ｂｌｕｅｔｏｏｔｈ（登録商標）、セルラープロトコル（例：ＧＳＭ（登録商標）、ＧＳＭ（登録商標））などの任意の適切なプロトコルを使用して通信を送信するのに適した任意の回路を具備し得る。入力インターフェース１０４は、ユーザーから入力を受け取るための任意の適切な機構を具備し得る。
【００１６】
画面１０５は、ユーザーに情報を表示するための任意の適切な機構を具備し得る。いくつかの実施形態では、画面１０５は、照明レベルを制御するための画面制御回路１０１を具備し得る。さらに、画面１０５は、電子装置１００内の制御回路１０１および他の構成要素、またはそれらの任意の組み合わせと電子的に結合することができる。
【００１７】
距離センサー１０６は、ユーザーの頭部と機器との間の距離を判定する、任意の適切な機器を具備し得る。いくつかの実施形態では、距離センサー１０６は、カメラの出力画像（例えば、単一の写真またはビデオフレーム）を処理し、ユーザーの頭と装置との間の距離を受動的に判定するための処理回路１０７に結合された一つ以上のカメラを具備し得る。いくつかの実施形態では、距離センサー１０６は、ユーザーの頭部と装置との間の距離を能動的に判定する信号発信機およびセンサーを含むことができる。例えば、距離センサー１０６は、信号処理および距離決定のために処理回路１０７に結合された赤外線のエミッタおよび赤外線の光電子センサーを具備し得る。別の例として、距離センサー１０６は、信号処理および距離判定のために処理回路１０７に結合された超音波エミッタおよび超音波感知マイクを具備し得る。さらに、いくつかの実施形態では、距離センサー１０６は、ユーザーの頭部と装置との間の距離を判定するために能動的部品と受動的部品の両方の組み合わせを具備し得る。
【００１８】
前述の通り、電子機器は、ユーザーに向けられた距離センサーを使用してユーザーと電子画面との間の距離を判定し、その距離が校正距離より短い場合にはユーザーに通知できる。装置とユーザーとの間の距離を判定することができ、さらに前記の距離が校正距離より近いときにユーザーに通知できる装置の組み合わせは、視力の低下防止のシステムを形成できる。
【００１９】
図面２ａは、カメラが距離センサーとして使用される、本発明の一実施形態による視力低下を防止するためのシステム２００の概略図である。システム２００は、ユーザーの頭部２９０から拡散反射される周囲光２９２を用いてユーザーの頭部２９０を検出するカメラ２１５と処理回路２１４を具備し得る電子装置２１０ａを具備し得る。電子装置２１０は、図面１に示す電子装置１００と非常によく似ており、後者の構成要素の説明を共有する。例えば、電子装置２１０は、電子装置１００のそれぞれの構成要素と実質的に同様であり得る制御回路２１１、記憶装置２１２、画面２１３、および処理回路２１４を具備し得る。制御回路１０１、記憶装置１０２、画面１０５および処理回路１０７である。また電子機器２１０は、通信回路１０３、および図面１に示される、入力インターフェース１０４などの他の適切な構成要素も具備し得る。
【００２０】
処理回路２１４は、カメラ２１５の出力画像（例：単一の画像またはビデオフレーム）を処理するための任意の適切な技術または技術の組み合わせを使用することができ、ユーザーの頭部２９０と装置との間の距離が校正距離より近く、ユーザーを視力低下および近視の進行の危険に晒（さら）しているかどうか察知する。ユーザーの頭部の画像が察知された場合、処理回路２１４は、ユーザーの頭部２９０と装置との間の距離を判定する任意の適切な技術または技術の組み合わせを使用することができる。例えば、処理回路２１４は、校正手順で得られた、同様の距離に対するユーザーの頭部２９０と装置の間の距離を決定することができる。さらに具体的に言うと、処理回路は、ユーザーの頭部の画像によって範囲が定められたピクセル数、および校正手順で得られた同様のピクセル数に基づいて、この関係を判定することができる。
【００２１】
処理回路２１４によって決定された、ユーザーの頭部２９０と装置との間の距離が校正距離より近い（すなわち、それらの比率が１未満である）場合、制御回路２１１に制御信号を送ることができる。そうして、制御回路２１１は前記制御信号に基づいて機能を果たすことができる。例えば、制御回路２１１は、画面２１３に情報をユーザーに見せるなり、またはその動作を修正するように（例：画面の色を暗くする、ぼかす、または色を変える）指示できる。
【００２２】
一方、処理回路２１４によって決定された、ユーザーの頭部２９０と装置との間の距離が校正距離と等しいかそれよりも遠い（すなわち、それらの比が１未満である）場合、あるいは、頭部の画像が処理回路２１４によって検出されない場合は、制御信号を制御回路２１１に送ることができ、それは次に画面２１３にその動作の修正を止めるよう命令することができる。いくつかの実施形態では、画面２１３の動作の前記の修正は、以下のような装置２００の他の構成要素の動作の修正によって置き換えることができる。スピーカーから発せられる音の音量、または前述の修正のいずれかの任意の組み合わせ。
【００２３】
いくつかの実施形態において、画面２１３の動作のこの修正の強度は、処理回路２１４からの制御信号に応答して制御回路２１１によって変調され得る。例えば、前記比率が小さくなるにつれて、画面を徐々にぼかしたり、暗くしたりすることができる。
【００２４】
いくつかの実施形態において、処理回路２１４は、カメラ２１５によって決定されたフレーム率で、ユーザーの頭部と装置との間の距離を連続的に決定するために、連続フレーム（例えば、ビデオストリーム中の画像）の処理および分析を実施できる。いくつかの実施形態では、制御回路２１１は、性能向上のためにフレーム率を修正できる。例えば、処理回路２１４によって実行される、処理および分析のフレーム率は、電子装置２１０内の入力インターフェース１０４と同等のものによって提供されるユーザーの入力に従って、制御回路２１１によって修正できる。
【００２５】
いくつかの実施形態では、処理回路２１４は、ユーザーの頭部２９０と装置との間の距離を正確に判定するために、カメラのセンサーの物理的寸法、カメラからの画像のサイズ、カメラのレンズの焦点距離、その他のカメラパラメータや上記の任意の組み合わせといったカメラ２１５のさまざまなパラメータを考慮に入れることができる。さらに、同じ目的のために、処理回路２１４は、オートフォーカス、または露光制御、または他のもの、または上記のいずれかの任意の組み合わせなど、カメラ２１５の追加の機能を利用できる。
【００２６】
例えば、任意の適切な処理回路２１４は、ユーザーの頭部２９０の画像の不十分な露光を判定し、カメラ２１５の露光を増加させるために、制御回路２１１に制御信号を送信できる。
【００２７】
いくつかの実施形態では、システム２００は、電子装置２１０ｂを含むことができ、それは、図面２．ｂのシステム２００の概略図に示されるように、電子装置１００の距離センサー１０６と同等の単一距離センサー２１６に組み合わされる２台のカメラを具備し得る。そのような場合、処理回路２１４は、カメラ間の物理的移動、カメラの光軸間の物理的角度、カメラのレンズの焦点距離、カメラのセンサーの物理的寸法、またはその他、または上記のいずれかの組み合わせといった、二つのカメラからの二つの画像と追加のパラメータとに基づいて、ユーザーの頭部２９０と装置の間の距離を立体的に決定できる。
【００２８】
いくつかの実施形態では、システム２００は電子装置２１０ｃを具備し得る。これは、図面２ｃ．のシステム２００の概略図に示されるように、電子装置１００の距離センサー１０６と同等の単一の距離センサー２１７に結合されたセンサーおよびエミッタを具備し得る。距離センサー２１７のセンサー構成要素は、以下のセンサーのうちの一つを具備し得る。すなわち誘導センサー、容量センサー、光電センサー、光電子センサー、磁気センサー、音波センサー、または上記のいずれかの任意の組み合わせである。距離センサー２１７の対応するエミッタ構成要素は、前記センサー構成要素によって察知可能な信号を発することができる任意の適切な装置を具備し得る。例えば、前記エミッタ構成要素は、制御回路２１１に結合された超音波スピーカーを含むことが可能で、前記センサー構成要素は、処理回路２１４に結合された超音波に敏感なマイクを具備し得る。そのような場合、処理回路２１４は、頭部２９０から反射２９４された距離センサー２１７のエミッタ構成要素によってユーザーの頭部に向けて放出された信号２９３に基づいて、距離センサー２１７のセンサー構成要素によって察知されるユーザーの頭部２９０と装置の間の距離を判定できる。制御回路２１１は、距離センサー２１７のパラメータを修正するために、発信された信号の電力や、検出された信号の電力などの制御信号を送ることができる。例えば、制御回路２１１は、距離センサー２１７のセンサー要素によって検知された信号の電力不足に応答して、処理回路２１４によって送信された制御信号を受信した後、放出された信号の出力を増加させるため、制御信号を送信することができる。
【００２９】
いくつかの実施形態では、ユーザーは視力低下を防ぐためにシステムを構成できる。ユーザーは、ユーザーの頭部の検出、ユーザーと装置との間の距離（例えば、感度）の判定、装置の動作（例えば効果のタイプ、強度）の修正、ユーザーへの通知をコントロールするように、パラメータを設定できる。
【００３０】
図面.３は、本発明の一実施形態による視力低下を防止する電子装置を構成するための例示的な画面の例示図である。装置３００は、距離センサーとして使用される画面３０７およびカメラ３０８を有する電子装置とすることができる。装置３００は、図面１に示される装置１００および図面２ａ〜ｃに示される装置２１０と実質的に同様であることができ、コンポーネントの説明を後者のいずれか、または全てと共有する。例えば、装置３００は、ユーザーの頭部の画像を捉えるための、一つまたは複数のカメラ３０８を含む距離センサーを具備し得る。（図面１の距離センサー１０６と図２ａの距離センサー２１５と図２ｂの２１６に対応する。）装置３００は、画面３０７（例えば、図１の画面１０５および図２ａ〜図２ｃの画面２１３を参照）、および他の任意の適切な電子機器構成要素、またはそれらの任意の組み合わせを具備し得る。構成画面３０７は、画面３０７上に表示され、以下を制御するためのパラメータを具備し得る。ユーザーの頭部２９０の検出、ユーザーの頭部２９０および装置３００との間の距離の判定、装置の動作の変更、ユーザーへの通知。いくつかの実施形態では、構成画面３０７は、通常視力低下の防止を有効、または無効にするための設定３１１を具備し得る。例えば、ユーザーは設定３１１を「オフ」に設定することができ、その結果、装置３００は、視力低下防止のシステムの機能を実行できなくなる。図面.３の実施形態では、設定３１１を「オン」に設定すると、装置とユーザーの頭部２９０との間の距離を判定し、前記距離が校正距離よりも短いときに、ユーザーに通知できる。いくつかの実施形態では、設定画面３０７は、装置の動作の修正に対応する設定３１２を具備し得る。例えば、ユーザーは、設定３１２を「ブラー画面」に設定し、装置の動作の修正のタイプを指定できる。より具体的に言うと、装置の画面に表示される情報をぼかすために、３１２の設定値は、装置３００内の制御回路に指示することができる（例えば、図面１に示す制御回路１０１および図面２ａの制御回路２１１を参照）。別の例では、ユーザーは、３１２の設定を「暗い画面」、「警告音」、「振動」または「点滅情報」に設定して、装置３００の制御回路にそれぞれ次のことを実行するよう指示できる。装置の画面に表示される情報を暗くする、装置のスピーカーから音を出す、装置の振動部品を振動させる、画面にユーザーに情報メッセージを表示する、または上記のいずれかの組み合わせ。
【００３１】
いくつかの実施形態では、構成画面３０７は、ユーザーの頭部２９０と装置との間の距離を判定する感度に対応する設定３１３を具備し得る。例えば、感度を指定するために、ユーザーは設定３１３を「低」と「高」の間のスライドスケールで設定することができる。より具体的に言うと、３１３設定の値は、装置３００内の処理回路の感度を変更することができる（例えば、図面１の処理回路１０７および図面２ａ〜図面２ｃの処理回路２１４を参照）。オプション３１３が「低」感度に設定されている場合、装置３００の前記処理回路は、前記距離が前記校正距離よりはるかに短いときにだけユーザーに通知することができる。一方、オプション３１３が「高」感度に設定されている場合、装置３００の前記処理回路は、前記距離が前記校正距離より少しでも短いと、既にユーザーに通知することができる。いくつかの実施形態では、構成画面３０７は、装置の動作の修正の強度に対応する３１４設定を具備し得る。例えば、強度を規定するために、ユーザーは３１４設定を「低」と「高」の間のスライドスケールで設定することができる。具体的に言うと、３１４設定値は、装置３００内の制御回路の機能を変更することができる（例：図面１に示す制御回路１０１および図面２ａ〜ｃの制御回路２１１を参照）。オプション３１４が「低」強度に設定されている場合、装置３００の動作は効果タイプ３１２に従って少し修正することができる（例えば装置の画面に表示される情報が、少しぼけることがある）。一方、３１４のオプションが「高」強度に設定されている場合、装置３００の動作は効果タイプ３１２に従って大幅に修正することができる（例：画面上に表示された情報はぼけて、判読不可能となることがある）。
【００３２】
いくつかの実施形態では、構成画面３０７は、処理回路、制御回路、距離センサー、または装置３００の他の構成要素によって使用される、情報の記憶を有効化、または無効化するための３１５設定を具備し得る。ユーザーは、装置３００が情報を記憶しないように、３１５設定を「ＯＦＦ」にすることができる。図面３に示す実施形態では、３１５設定が「オン」に設定されているので、装置３００は情報を保存する。具体的に言うと、３１５設定は、ネットワークを使用して、装置３００のメモリに情報を保存するため、図面１のストレージ１０２に同等のもの、または情報を保存するための装置３００の図面１の通信回路１０３と同等のものに対応することができる。処理回路が信号とデータの処理および分析を行う実施形態では、特定の情報を装置のメモリ内に一時的に保存しなければならず、ユーザーは、そのようなストレージを無効にする構成設定ができないと理解される。
【００３３】
いくつかの実施形態では、ユーザーは、視力低下を防ぐためにシステムを校正することができる。例えば、ユーザーは、ユーザーの頭部２９０から装置までの物理的距離と、それは処理回路によって使用され得る、カメラの画像内の頭部によって測定されたピクセル数との間の関係を校正できる。いくつかの実施形態では、校正画面３０７は、装置３００の校正を実行するための選択肢３１６を具備し得る。例えば、ユーザーは、オプション３１６を選択することによって校正を開始できる。いくつかの実施形態では、ユーザーは校正手順の実行を省略することができ、その場合、デフォルトの校正が処理回路によって使用される（例：図面１の処理回路１０７および図面２ａ〜２ｃの処理回路２１４を参照）。
【００３４】
図面４は、本発明の一実施形態による視力低下防止のために電子装置を校正するために、画面上に表示された例示的な情報の例示図である。
【００３５】
装置４００は、画面と、距離センサーとして使用されるカメラとを有する電子装置とすることができる。装置４００は、図面１に示される装置１００および図面２に示される装置２１０と実質的に同様であり得る。また、コンポーネントの説明を、後者のいずれか、またはすべてと共有する。例えば、装置４００は、ユーザーの頭部２９０の画像を捕捉するための一つ以上のカメラ４０２を含む距離センサーを具備し得る（例：図面１の距離センサー１０６と図面２ａの距離センサー２１５、および図面２ｂの２１６を参照）。装置４００は、画面４０１（例：図面１の画面１０５および図面２ａ〜図面２ｃの画面２１３を参照）および他の任意の適切な電子機器構成要素、またはそれらの任意の組み合わせを具備し得る。
【００３６】
電子装置４００は、装置の校正オプションの一部として画面４０１上に校正メニューを表示することができる。校正画面は、校正補助４１２を含むことができる。図面４に示す実施形態では、校正補助４１２は、頭部の輪郭の半透明画像を含むことができる。いくつかの実施形態においては、画面４０１上に示される校正補助具４１２は、頭部の同心円状輪郭、水平格子、垂直格子、十字線のような幾何学的形状、その他の種類の補助具、または上記の任意の組み合わせを具備し得る。図面４に示す実施形態では、校正補助装置４１２はユーザーへの説明のメッセージ４１１を具備し得る。
【００３７】
前述のように、いくつかの実施形態では、ユーザーは視力の低下防止のために、システムを校正することができる。例えば、ユーザーは、ユーザーの頭から装置までの物理的な距離と、カメラの画面内の一つまたは複数の軸に沿って頭で測定される画素数との関係を調整できる。図面５は、本発明の一実施形態による視力低下防止のために電子装置を校正するための、例示的なプロセス５００のフローチャートである。
【００３８】
プロセス５００は、画像（例：図面１の画像１０５および図面２ａ〜ｃの画像２１３を参照）を具備する電子機器（例：図面１の装置１００または図面２ａ、ｂの装置２１０）と、ユーザーに向けられた一つまたは複数のカメラを具備する距離センサー（例：図面１の距離センサー１０６と図面２ａの距離センサー２１５および図面２ｂの２１６を参照）によって行われる。
【００３９】
プロセス５００は、ブロック５１０から開始できる。ブロック５１０で、カメラを使用してユーザーの頭の画像を捉えることができる。適切な任意のカメラを用い、ユーザーの頭部から拡散された光を使用して、ブロック５１０で画像を取り込むことができる。ブロック５２０では、ユーザーは、電子機器の特定の校正距離を維持し、ユーザーの頭部の画像を校正補助と位置合わせした状態に維持するよう指示することができる（例：図面４の校正補助４１２を参照）。例えば、ブロック５２０で、使用者に向けられた電子装置を半メートルの較正距離に維持するように指示メッセージによって使用者に指示することができる。一方、いくつかの実施形態では、プロセス５００のブロック５２０で、ユーザーは、電子機器をユーザーが選択した校正距離を維持するように指示されることができる。
【００４０】
ブロック５３０で、カメラの画像内のユーザーの頭部またはその一部の画像を検出することができる。前述のように、一つまたは複数のカメラの出力画像（例：単一の写真またはビデオフレーム）を処理するための任意の適切な技法または技法の組み合わせは、（例：図面１の距離センサー１０６および図面２ａの距離センサー２１５および図面２の２１６を参照）ユーザーの頭部またはその一部の画像を検出するために、処理回路（例：図面１の処理回路１０７および図面２ａ、ｂの処理回路２１４を参照）によって使用される。ブロック５４０は、プロセス５００において決定ノードとして機能できる。例えば、ユーザーの頭部またはその一部がブロック５３０で検出された場合、プロセス５００はブロック５５０に進むことができる。
【００４１】
ブロック５５０では、校正の結果として、カメラの画像平面内の軸に沿ってユーザーの頭部によって測定された、いくつかの画素を記憶することができる（例：図面１の記憶装置１０２を参照）。前述のように、いくつかの実施形態では、ユーザーは校正手順の実行を省くことができ、その場合、デフォルト値が校正距離および前記画素数に対して処理回路によって使用される。具体的に言うと、処理回路によって使用される前記画素数のデフォルト値は、カメラのレンズの焦点距離（例：図面１の距離センサー１０６、図面２ａの距離センサー２１５および図２ｂの２１６を参照）、カメラのセンサーサイズおよび人間の頭の平均的な推定サイズから計算できる。ブロック５４０への戻り、ユーザーの頭またはその一部が検出されない場合、プロセス５００はブロック５２０に戻ることができる。
【００４２】
前述のように、電子機器は、ユーザーに向けられた距離センサーを使用して、ユーザーの頭と電子画像との間の距離を判定し、距離が校正距離より短く、ユーザーを視力低下および近視の進行の危険に晒（さら）す場合は、ユーザーに通知する。図面６ａは、本発明の一実施形態による視力低下防止のための、例示的なプロセス６００のフローチャートである。プロセス６００は、画面（例：図面１の画面１０５および図面２ａ〜２ｃの画面２１３参照）を具備する電子機器（図面１の装置１００または図面２ａ、ｂの装置２１０に対応する）およびユーザーに向けられた一つまたは複数のカメラを具有する距離センサー（例:図面１の距離センサー１０６および図面２ａの距離センサー２１５および図面２ｂの２１６を参照）により実行される。いくつかの実施形態では、プロセス６００は、連続ループで装置のバックグラウンドプロセスとして実行できる。
【００４３】
プロセス６００はブロック６１０から開始できる。任意の適切なカメラを使用して、ブロック６１０で、ユーザー頭部から拡散された光を用いて、画像を捉えることができる。ブロック６２０において、ユーザーの頭部の画像またはカメラの画像内のその一部を処理回路によって検出することができる（例：図面１の処理回路１０７および図面２ａ、ｂの処理回路２１４を参照）。ブロック６３０は、プロセス６００での第１の決定ノードとして機能できる。例えば、ブロック６２０においてユーザーの頭部が検出されると、プロセス６００はブロック６４０に進むことができる。一方、ユーザーの頭部またはその一部が検出されない場合、プロセス６００はブロック６１０に戻ることができる。
【００４４】
ブロック６４０において、ユーザーの頭部とディバイスとの間の距離は、処理回路によって判定できる。前述のように、一つまたは複数のカメラ（例：図面１の距離センサー１０６および図面２ａの距離センサー２１５および図面２ｂの２１６を参照）の出力画像（例：単一の写真またはビデオフレーム）を処理するための任意の適切な技術、または技術の組み合わせは、それらがユーザーの頭部の画像を含んでいるかどうかを検出し、ユーザーの頭部とディバイスとの間の距離を判定するために、処理回路によって使用されることができる。例えば、ユーザーの頭部とディバイスの間の距離「Ｄ」は、方程式：Ｄ＝Ｄc・Ｒを使って回路を処理することで判定できる。「Ｄｃ」は校正距離（例：プロセス５００のブロック５２０を参照）、「Ｒ」は、ブロック６４０において、画像平面内の軸に沿って測定された、ユーザーの頭部内のピクセル数「ｎｐ」間の比ｎｐ／ｎｐｃ、「ｎｐｃ」は、校正プロセス５００のブロック５５０で測定された、同様の数の画素である。
【００４５】
ブロック６５０は、プロセス６００において第２の決定ノードとして機能できる。例えば、ユーザーの頭部とディバイスとの間の距離Ｄが校正距離Ｄｃより短い場合（つまり、Ｄ＜Ｄｃ、またはＲ＜１）、処理回路は制御信号を送信することができる。ブロック６７０で、処理回路は、制御信号を制御回路（例：図面１の制御回路１０１および図面２ａ〜２ｃの制御回路２１１を参照）に送信して、ユーザーに通知できる。一方、ユーザーの頭部とディバイスの間の距離が校正距離と同じかそれより長い場合（つまり、Ｄ≧Ｄc、またはＲ≧１）は、処理回路は、ブロック６６０で、制御信号を制御回路に送信し、ユーザーへの通知を停止できる。
【００４６】
前述のように（例：プロセス５００のブロック５２０を参照）、いくつかの実施形態では、校正プロセス５００の間にユーザーが選択した校正距離に電子装置を維持するようにユーザーに指示することができる。この場合、プロセス６００のブロック６５０において、ユーザーの頭部と装置との間の距離が、ユーザーが選択した校正距離よりも短い場合（つまり、Ｒ＜１）、処理回路はブロック６７０で制御回路（例：図面１の制御回路１０１および図面２ａ〜２ｃの制御回路２１１を参照）にユーザーに通知するために制御信号を送ることができる。一方、ユーザーの頭部と装置との間の距離が校正距離と等しいか、またはそれより長い場合（つまり、Ｒ≧１）、処理回路はブロック６６０で、制御信号を制御回路に送信してユーザーへの通知を停止できる。
【００４７】
前述のように、プロセス６００は、連続ループ内の装置のバックグラウンドプロセスとして行うことができる。そのような場合、ブロック６６０またはブロック６７０で終了した後、プロセス６００はブロック６１０に戻ることができる。
【００４８】
前述のように、電子機器の処理回路（例：図面１の処理回路１０７および図面２ａ、ｂの処理回路２１４を参照）は、プロセス５００のブロック５３０又はプロセス６００のブロック６２０における、カメラの画像内のユーザーの頭部の検出性能を向上させるため、オートフォーカスや露出制御など、または上記のいずれかの組み合わせなどの、カメラの追加機能を利用できる。例えば、任意の適切な処理回路は、カメラの露出を増大させるために（例：図面１の距離センサー１０６および図面２ａの距離センサー２１５および図面２ｂの２１６を参照）、ユーザーの頭部の画像の露出不足を測定し、制御回路に制御信号を送ることができる（例：図面１の制御回路１０１および図面２ａ〜２ｃの制御回路２１１を参照）。
【００４９】
前述のように、電子ディバイスは、ユーザーに向けられた距離センサーを使用してユーザーと電子画面との間の距離を判定し、距離が校正距離より短く、ユーザーを視力低下および近視の発達の危険にさらす場合、ユーザーに通知することができる。図面６ｂは、本発明の一実施形態による視力低下を防止するための例示的なプロセス６０１の流れ図である。プロセス６０１は、プロセス６００の変形であり、プロセス６００と共通のその全てのブロックの説明を共有する。プロセス６０１は、画面（例：図面１の画面１０５および図面２ａ-２ｃの画面２１３を参照）を具備する電子機器（図面１の装置１００または図面２ａ、ｂの装置２１０に対応）およびユーザーに向けられる信号発信機およびセンサー（例：図面１の距離センサー１０６ならびに図面２ｃのセンサー２１８および発信機２１９を参照）を含む距離センサーによって行われる。
【００５０】
プロセス６０１は、ブロック６３５から開始できる。ブロック６３５では、信号発信機およびセンサーを含む距離センサーを使用して、ユーザーの頭部を検出できる。任意の適切な距離センサーは、ユーザーの頭部から反射され、センサーによって検出されたエミッタが放射する信号を使用して、頭部を検出できる。ブロック６４０において、ユーザーの頭部とディバイスとの間の距離が処理回路によって決定される（例：図面１の処理回路１０７および図面２ｃの信号処理回路２２０を参照）。ブロック６５０は、プロセス６０１において決定ノードとして機能できる。例えば、ユーザーの頭部と装置との間の距離が校正距離より短い場合、処理回路は制御信号を制御回路（例：図面１の制御回路１０１および図面２ａ〜ｃの制御回路２１１を参照）に送り、ブロック６７０でユーザーに通知できる。一方、ユーザーの頭部とディバイスの間の距離が校正距離より長い場合、処理回路は、制御信号を制御回路（例：図１の制御回路１０１および図面２ａ〜図面２ｃの制御回路２１１を参照）に送り、ブロック６６０でユーザーへの通知を停止できる。
【００５１】
さらに、プロセス６００およびプロセス６０１のブロック６６０および６７０でユーザーに通知する目的のため、いくつかの実施形態においては、制御回路は、装置３００の設定３１２（すなわち「効果タイプ」）に従ってディバイスの動作を修正できる。
【図１】
2019523514.tif 000003
【図２ａ】
2019523514.tif 000004
【図２ｂ】
2019523514.tif 000005
【図２ｃ】
2019523514.tif 000006
【図３】
2019523514.tif 000007
【図４】
2019523514.tif 000008
【図５】
2019523514.tif 000009
【図６ａ】
2019523514.tif 000010
【図６ｂ】
2019523514.tif 000011
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
ディバイス（１００、２００、３００、４００）の電子画面（１０５、２１３、３０７、４０１）によって引き起こされる、視力低下を防止するためのコンピュータ実施方法で、以下を含む。
−ユーザーの頭部（２９０）と装置（１００、２００、３００、４００）の電子画面（１０５、２１３、３０７、４０１）との間の距離を検出する。
−校正距離と検出距離との間の比較を行う。校正距離は、ユーザーが頭部から選択した距離に、画面（１０５、２１３、３０７、４０１）を配置することにより、ユーザーによって、あらかじめ定義される。
−比較に従って、画面（１０５、２１３、３０７、４０１）への不適切な距離をユーザーに通知する。
【請求項２】
前記距離がカメラによって検出される、請求項１に記載のコンピュータ実施方法。
−ユーザーの頭部（２９０）を含む画像を捉える。
−頭部（２９０）に対応する画像内の画素数を測定し、画素数とユーザーまでの距離との間の関係を確立する。
【請求項３】
請求項１に記載の校正距離において、カメラのパラメータに従って調整されるコンピュータ実装方法は、以下のいずれかである。
−焦点距離
−画素サイズ
−画素間の距離
−イメージセンサーとカメラレンズとの間の距離、またはそれらの任意の組み合わせ。
【請求項４】
請求項１から３のいずれかに記載のコンピュータ実施方法で、不適切な距離のユーザーへの前記通知は以下を含む。
−画面の少なくとも一部をぼかす（１０５、２１３、３０７、４０１）
−画面の少なくとも一部の色相を変更する（１０５、２１３、３０７、４０１）
−画面の少なくとも一部の彩度を変更する（１０５、２１３、３０７、４０１）
−画面の少なくとも一部の輝度を変更する（１０５、２１３、３０７、４０１）
−画面にメッセージを表示する（１０５、２１３、３０７、４０１）
−ディバイス（１００、２００、３００、４００）のスピーカーで音を発生させる
−ディバイス（１００、２００、３００、４００）の振動成分に振動を発生させる、
または、それらの任意の組み合わせ。
【請求項５】
不適切な距離のユーザーへの前記通知は、検出された距離と校正距離との間の比に基づいて変調される、請求項４に記載のコンピュータ実施方法。
【請求項６】
ディバイス（１００、２１０、３００、４００）の電子画面（３０７）によって引き起こされる視力低下を防止するためのシステムで、以下を含む。
−ユーザーの頭部（２９０）とディバイス（１００、２００、３００、４００）の電子画面（１０５、２１３、３０７、４０１）との間の距離を検出するように構成された距離センサー
−距離センサーを制御するように構成された制御回路（１０１、２１１）
−校正距離と検出距離との間の比較をするように構成された処理回路（１０７、２１４）。ここで較正距離は、画面（１０５、２１３、３０７、４０１）をユーザーが選択した頭からの距離に置くことによってユーザーにより、あらかじめ定義されている。処理回路はさらに、制御回路（１０７、２１４）と協働して、比較に従って画面（１０５，２１３，３０７，４０１）への不適切な距離をユーザーに通知するようにさらに構成される。
【請求項７】
請求項６に記載のシステム。ここでは距離センサーは以下を含む。
−イメージセンサー
−誘導センサー
−静電容量センサー
−光電子センサー
−光電センサー
−磁気センサー
−音響センサー、またはそれらの任意の組み合わせ。
【請求項８】
請求項６または７に記載のシステム。距離センサーは、ユーザーの頭部（２９０）の少なくとも一部を含む画像を捉えるための制御回路（１０１、２１１）によって制御されるカメラ（２１５）を含み、処理回路（１０７、２１４）は、頭部（２９０）の前記部分に対応する画像内の画素数を測定し、距離との関係を確立するように構成される。
【請求項９】
請求項８に記載のシステムで、立体的距離測定のための追加のカメラ（２１６）をさらに含む。
【請求項１０】
請求項６から９のいずれかに記載のシステムで、制御回路（１０１、２１１）は、検出された距離と校正距離との間の比に基づいて、ユーザーへの不適切な距離の通知を変調するように構成される。
【請求項１１】
請求項６から９のいずれかに記載のシステムで、さらに以下を含む。
−校正距離と検出距離とを含むユーザー情報を記憶するように構成された記憶装置（１０２）および、
−保存された情報をネットワークに送信するように構成された通信回路（１０３）。
【請求項１２】
請求項６から１１のいずれか一項に記載のシステムを備える装置（１００、２００、３００、４００）で、以下のいずれかである。
−携帯電話
−タブレット
−スマートテレビ
−携帯情報端末
−ラップトップコンピュータ
−デスクトップコンピュータ
−独立型カメラ
−ゲーム機
−ビデオレコーダー
【請求項１３】
ディバス（１００、２００、３００、４００）のプロセッサによって実行されると、プロセッサに請求項１から５のいずれかに記載の方法を実行させる、コンピュータ可読命令を格納したコンピュータプログラム製品。
【手続補正２】
【補正対象書類名】明細書
【補正対象項目名】全文
【補正方法】変更
【補正の内容】
【発明の詳細な説明】
【技術分野】
【０００１】
これは、視覚光学、生理学光学、電子工学およびコンピューターの分野に関連する。特に、これは近視のような近距離での、電子画面の長期使用による視力障害防止のためのシステムおよび方法に関する。
【背景技術】
【０００２】
携帯機器、特に小さな画面を備えた機器の長期間の使用は、眼精疲労、ぼけ視、頭痛、筋肉の緊張、角結膜乾燥ドライアイなどの目の症状を引き起こすことがある。また長期的には、近視の進行の原因の一つとなることがある。
【０００３】
近視（または近眼）は、眼球の進行性および過剰な伸長と関連しており、これは強膜、脈絡膜、網膜色素上皮組織および神経網膜の変性変化を伴う可能性がある。それは世界中に広がる重大な公衆衛生問題であり、最近数十年で有病率が急速に増加している、失明の主な原因である。
【０００４】
長時間の近接作業は、目が近距離での刺激に順応し続け、近視の進行の原因となるため、眼球の伸長を誘発すると考えられている。
【０００５】
近視の進行を制御し、目の軸方向の伸びを止めるための麻薬治療薬による調節、角膜の再形成、多焦点コンタクトレンズなど、いくつかの治療方法が開発されてきた。
【０００６】
電子画面および距離センサー（例えば、カメラ）を備えた電子装置の使用に基づいた、近視の進行防止のいくつかの解決策が提案されているが、どれも距離センサーパラメータ（例えば、カメラの焦点距離）を知らずに、校正距離に対して電子画面とユーザーの頭間の距離の使用を可能にする、校正手順を具備していない。既知の解決策はまた、前記距離によって警告信号を変調する可能性にし、ユーザーが本能的に前記校正距離を超えて装置を遠ざける可能性を具備していない。従って、今日現在、電子画面および距離センサーを備えた電子装置に適用可能な、視力低下および近視の進行を防止する実用的な解決策は、提案も実施もされていない。さらに、すでに市場に出ている電子機器の性能が、視力低下および近視の進行を防ぐために十分に利用されてはいない。
【０００７】
ＥＰ２８１６５４５Ａ２は、デジタル装置とデジタル装置を見ているユーザーとの間の適切な観察距離を確保するために表示を制御する技術を開示している。特に、画面サイズに比例した初期値に基づいて決定され、頭の代わりに瞳孔を使用する危険距離を提案する。
【０００８】
ＵＳ２００９０９７７１６Ａ１は、ユーザーが画面に近づきすぎないようにするために、人間の顔とカメラ装置との間の距離を取得して出力することができる技術を開示している。それは人物の顔画像データに従って人物の顔とカメラ装置との距離情報を取得する。
【０００９】
ＵＳ２０１６０１１６５５Ａ１は、ユーザーが適切な距離で電子製品を取り扱い、近視を防ぐための制御技術を開示している。距離センサー、表示画面、コントローラおよびファジー処理装置が使用される。ユーザーと表示画面との間の距離に基づいて、コントローラはファジー処理を使用し、表示画面から放射された光を均一に拡散させることができる。
【００１０】
ＵＳ２０１２１０５５８５Ａ１は、ゲームキャラクターまたはアプリケーションの他の態様を制御するために深度センサーを使用する、自然なユーザーインターフェースを提供するためのカメラおよびソフトウェアジェスチャ認識に関する。また、工場での校正後に測定誤差を補正するために深さセンサーを再校正するための技術を開示している。
【発明の概要】
【００１１】
本発明は、電子画面を有する装置での近接作業によって引き起こされる視力低下防止のシステムおよび方法に関する。システムは、電子画面に加え、ユーザーに向けられた距離センサーを含み得る。システムはまた、距離センサーに結合された処理回路と、電子画面に結合された制御回路とを含み得る。処理回路が、ユーザーの頭部と装置との間の距離が校正距離よりも短いと判断した場合、制御回路に制御信号を送信してユーザーに通知することが可能である。処理回路が前記距離が校正距離以上だと判断した場合、制御回路は通知を停止するか、または通知を起動させないようすることができる。
【００１２】
いくつかの実施形態では、装置は、校正距離に対する、処理回路によって決定される、ユーザーの頭部と装置との間の、実際の距離の間の関係に基づいて、電子画面の動作を修正することができる。例えば、ユーザーが近距離で装置を使用している可能性があり、それによりユーザーは視力低下の危険にさらされることがある。装置の距離センサーに結合された処理回路は、校正距離を使用して前記相対距離を決定し、以下によってユーザーに通知することができる。例えば、電子画面の色をぼかしたり、暗くしたり、色を変えたりして、ユーザーが本能的に装置を動かすようにすることができる。別の例として、装置は、画面上に情報を表示すること、スピーカーから音を発すること、装置を振動させること、または上記のいずれかの組み合わせによってユーザーに通知することができる。
【図面の簡単な説明】
【００１３】
以下の詳細な説明を伴う図面は、本発明の本質およびその利点をさらに説明するのに役立つ。
【図１】本発明の一実施形態による電子画面を有する装置との近接作業によって引き起こされる視力低下を防止するための例示的な電子装置のブロック図である。
【図２ａ】カメラが距離センサーとして使用される、本発明の一実施形態による視力低下防止のための例示的なシステムの概略図である。
【図２ｂ】二つのカメラが距離センサーとして使用される、本発明の一実施形態による視力低下防止のための例示的システムの概略図である。
【図２ｃ】信号エミッタと結合された検出器が距離センサーとして使用される、本発明の一実施形態による視力低下防止のための例示的システムの概略図である。
【図３】本発明の一実施形態による視力低下防止のために電子装置を構成するための例示的な画面の例示図である。
【図４】本発明の一実施形態による視力低下防止のために電子装置を校正するための例示的画面の例示図である。
【図５】本発明の一実施形態による視力低下を防止するために電子装置を校正するための例示的なプロセスの流れ図である。
【図６ａ】距離センサーが一つ以上のカメラを含む、本発明の一実施形態による視力低下防止のための例示的なプロセスの流れ図である。
【図６ｂ】距離センサーが一つ以上のカメラを含む、本発明の一実施形態による視力低下防止のための例示的なプロセスの流れ図である。
【発明を実施するための形態】
【００１４】
これは、電子画面を具備する装置との近接作業が引き起こす、視力低下を防止するためのシステムおよび方法に関する。電子機器は、ユーザーに向けられた距離センサーを使用してユーザーと電子画面との間の距離を決定し、そして、距離が校正距離よりも短く、使用者が視力低下および近視の進行の危険にさられる場合には使用者に通知する。例えば、電子機器は、ユーザーの頭部を受動検知する処理回路に結合されたカメラを含むことができる。画像処理回路は、カメラからの画像（例えば、単一の写真またはビデオフレーム）を分析し、それらがユーザーの頭の少なくとも一部（以下、「ユーザーの頭」と称する）の画像を含むかどうか判定できる。処理回路が、ユーザーの頭部と装置との間の距離が校正距離よりも短いと判断した場合、例えば画面上に情報を表示して音を発することによって、制御回路に制御信号を送信してユーザーに通知することができる。他方では処理回路が、ユーザーの頭部と装置との間の距離が校正距離に等しいかそれよりも遠いと判断した場合、制御回路は通知を停止するかまたは開始させないことができる。
【００１５】
また制御回路は、例えば電子画面の色をぼかす、暗くする、または変更するなどにより、ユーザーが本能的に装置を遠ざけるように、装置または装置の一つ、または複数の構成要素の動作を変更できる。
【００１６】
さらに、この修正の強度は、更正距離に対するユーザーの頭部と装置の間の距離の比率によって調整できまる。例えば、前記の比率が下がるにつれ、徐々に画面をぼかしたり、暗くしたりすることができる。
【００１７】
図面１は、本発明の一実施形態による、電子画面を有する装置での近接作業が引き起こす視力低下を防止する、例示的な電子装置の概略図である。電子装置１００は、制御回路１０１、記憶装置１０２、通信回路１０３、入力インターフェース１０４、画面１０５、距離センサー１０６、および処理回路１０７を具備し得る。いくつかの実施形態においては、電子装置１００は、振動成分、スピーカー、マイク、加速度計、回転儀、または前述の構成要素のいずれかの組み合わせといった、図に含まれていない他の構成要素を具備し得る。
【００１８】
電子機器１００は、電子画面とユーザーの頭部と機器との間の距離を判断する能力のある任意の適切な種類の機器を含み得る。例えば、電子装置１００は、カメラを備えた次の装置のいずれかを含むことができる。携帯電話、タブレット、「スマート」テレビ、携帯情報端末（ＰＤＡ）、ラップトップまたはデスクトップコンピュータ、独立型カメラやビデオレコーダー、その他の適切な機器。
【００１９】
制御回路１０１は、電子装置１００の機能、動作および性能を制御するように設計された任意の回路およびプロセッサを具備し得る。記憶装置１０２は、ＨＤＤ、ＳＳＤ、ＲＡＭ、ＲＯＭ、ＣＦのＳＤ（例えばセキュアデジタル）カード（例えばコンパクトフラッシュ（登録商標））のようなフラッシュメモリ、カード、または装置１００に適した他のタイプのメモリなどの、任意の種類の内部または外部メモリなどの一つまたは複数の記憶媒体を具備し得る。通信回路１０３は、装置を通信ネットワークに接続し、例えば、Ｗｉ−Ｆｉ（登録商標）（例：８０２．１１プロトコル）、Ｂｌｕｅｔｏｏｔｈ（登録商標）、セルラープロトコル（例：ＧＳＭ（登録商標）、ＧＳＭ（登録商標））などの任意の適切なプロトコルを使用して通信を送信するのに適した任意の回路を具備し得る。入力インターフェース１０４は、ユーザーから入力を受け取るための任意の適切な機構を具備し得る。
【００２０】
画面１０５は、ユーザーに情報を表示するための任意の適切な機構を具備し得る。いくつかの実施形態では、画面１０５は、照明レベルを制御するための画面制御回路１０１を具備し得る。さらに、画面１０５は、電子装置１００内の制御回路１０１および他の構成要素、またはそれらの任意の組み合わせと電子的に結合することができる。
【００２１】
距離センサー１０６は、ユーザーの頭部と機器との間の距離を判定する、任意の適切な機器を具備し得る。いくつかの実施形態では、距離センサー１０６は、カメラの出力画像（例えば、単一の写真またはビデオフレーム）を処理し、ユーザーの頭と装置との間の距離を受動的に判定するための処理回路１０７に結合された一つ以上のカメラを具備し得る。いくつかの実施形態では、距離センサー１０６は、ユーザーの頭部と装置との間の距離を能動的に判定する信号発信機およびセンサーを含むことができる。例えば、距離センサー１０６は、信号処理および距離決定のために処理回路１０７に結合された赤外線のエミッタおよび赤外線の光電子センサーを具備し得る。別の例として、距離センサー１０６は、信号処理および距離判定のために処理回路１０７に結合された超音波エミッタおよび超音波感知マイクを具備し得る。さらに、いくつかの実施形態では、距離センサー１０６は、ユーザーの頭部と装置との間の距離を判定するために能動的部品と受動的部品の両方の組み合わせを具備し得る。
【００２２】
前述の通り、電子機器は、ユーザーに向けられた距離センサーを使用してユーザーと電子画面との間の距離を判定し、その距離が校正距離より短い場合にはユーザーに通知できる。装置とユーザーとの間の距離を判定することができ、さらに前記の距離が校正距離より近いときにユーザーに通知できる装置の組み合わせは、視力の低下防止のシステムを形成できる。
【００２３】
図面２ａは、カメラが距離センサーとして使用される、本発明の一実施形態による視力低下を防止するためのシステム２００の概略図である。システム２００は、ユーザーの頭部２９０から拡散反射される周囲光２９２を用いてユーザーの頭部２９０を検出するカメラ２１５と処理回路２１４を具備し得る電子装置２１０ａを具備し得る。電子装置２１０は、図面１に示す電子装置１００と非常によく似ており、後者の構成要素の説明を共有する。例えば、電子装置２１０は、電子装置１００のそれぞれの構成要素と実質的に同様であり得る制御回路２１１、記憶装置２１２、画面２１３、および処理回路２１４を具備し得る。制御回路１０１、記憶装置１０２、画面１０５および処理回路１０７である。また電子機器２１０は、通信回路１０３、および図面１に示される、入力インターフェース１０４などの他の適切な構成要素も具備し得る。
【００２４】
処理回路２１４は、カメラ２１５の出力画像（例：単一の画像またはビデオフレーム）を処理するための任意の適切な技術または技術の組み合わせを使用することができ、ユーザーの頭部２９０と装置との間の距離が校正距離より近く、ユーザーを視力低下および近視の進行の危険に晒（さら）しているかどうか察知する。ユーザーの頭部の画像が察知された場合、処理回路２１４は、ユーザーの頭部２９０と装置との間の距離を判定する任意の適切な技術または技術の組み合わせを使用することができる。例えば、処理回路２１４は、校正手順で得られた、同様の距離に対するユーザーの頭部２９０と装置の間の距離を決定することができる。さらに具体的に言うと、処理回路は、ユーザーの頭部の画像によって範囲が定められたピクセル数、および校正手順で得られた同様のピクセル数に基づいて、この関係を判定することができる。
【００２５】
処理回路２１４によって決定された、ユーザーの頭部２９０と装置との間の距離が校正距離より近い（すなわち、それらの比率が１未満である）場合、制御回路２１１に制御信号を送ることができる。そうして、制御回路２１１は前記制御信号に基づいて機能を果たすことができる。例えば、制御回路２１１は、画面２１３に情報をユーザーに見せるなり、またはその動作を修正するように（例：画面の色を暗くする、ぼかす、または色を変える）指示できる。
【００２６】
一方、処理回路２１４によって決定された、ユーザーの頭部２９０と装置との間の距離が校正距離と等しいかそれよりも遠い（すなわち、それらの比が１未満である）場合、あるいは、頭部の画像が処理回路２１４によって検出されない場合は、制御信号を制御回路２１１に送ることができ、それは次に画面２１３にその動作の修正を止めるよう命令することができる。いくつかの実施形態では、画面２１３の動作の前記の修正は、以下のような装置２００の他の構成要素の動作の修正によって置き換えることができる。スピーカーから発せられる音の音量、または前述の修正のいずれかの任意の組み合わせ。
【００２７】
いくつかの実施形態において、画面２１３の動作のこの修正の強度は、処理回路２１４からの制御信号に応答して制御回路２１１によって変調され得る。例えば、前記比率が小さくなるにつれて、画面を徐々にぼかしたり、暗くしたりすることができる。
【００２８】
いくつかの実施形態において、処理回路２１４は、カメラ２１５によって決定されたフレーム率で、ユーザーの頭部と装置との間の距離を連続的に決定するために、連続フレーム（例えば、ビデオストリーム中の画像）の処理および分析を実施できる。いくつかの実施形態では、制御回路２１１は、性能向上のためにフレーム率を修正できる。例えば、処理回路２１４によって実行される、処理および分析のフレーム率は、電子装置２１０内の入力インターフェース１０４と同等のものによって提供されるユーザーの入力に従って、制御回路２１１によって修正できる。
【００２９】
いくつかの実施形態では、処理回路２１４は、ユーザーの頭部２９０と装置との間の距離を正確に判定するために、カメラのセンサーの物理的寸法、カメラからの画像のサイズ、カメラのレンズの焦点距離、その他のカメラパラメータや上記の任意の組み合わせといったカメラ２１５のさまざまなパラメータを考慮に入れることができる。さらに、同じ目的のために、処理回路２１４は、オートフォーカス、または露光制御、または他のもの、または上記のいずれかの任意の組み合わせなど、カメラ２１５の追加の機能を利用できる。
【００３０】
例えば、任意の適切な処理回路２１４は、ユーザーの頭部２９０の画像の不十分な露光を判定し、カメラ２１５の露光を増加させるために、制御回路２１１に制御信号を送信できる。
【００３１】
いくつかの実施形態では、システム２００は、電子装置２１０ｂを含むことができ、それは、図面２．ｂのシステム２００の概略図に示されるように、電子装置１００の距離センサー１０６と同等の単一距離センサー２１６に組み合わされる２台のカメラを具備し得る。そのような場合、処理回路２１４は、カメラ間の物理的移動、カメラの光軸間の物理的角度、カメラのレンズの焦点距離、カメラのセンサーの物理的寸法、またはその他、または上記のいずれかの組み合わせといった、二つのカメラからの二つの画像と追加のパラメータとに基づいて、ユーザーの頭部２９０と装置の間の距離を立体的に決定できる。
【００３２】
いくつかの実施形態では、システム２００は電子装置２１０ｃを具備し得る。これは、図面２ｃ．のシステム２００の概略図に示されるように、電子装置１００の距離センサー１０６と同等の単一の距離センサー２１７に結合されたセンサーおよびエミッタを具備し得る。距離センサー２１７のセンサー構成要素は、以下のセンサーのうちの一つを具備し得る。すなわち誘導センサー、容量センサー、光電センサー、光電子センサー、磁気センサー、音波センサー、または上記のいずれかの任意の組み合わせである。距離センサー２１７の対応するエミッタ構成要素は、前記センサー構成要素によって察知可能な信号を発することができる任意の適切な装置を具備し得る。例えば、前記エミッタ構成要素は、制御回路２１１に結合された超音波スピーカーを含むことが可能で、前記センサー構成要素は、処理回路２１４に結合された超音波に敏感なマイクを具備し得る。そのような場合、処理回路２１４は、頭部２９０から反射２９４された距離センサー２１７のエミッタ構成要素によってユーザーの頭部に向けて放出された信号２９３に基づいて、距離センサー２１７のセンサー構成要素によって察知されるユーザーの頭部２９０と装置の間の距離を判定できる。制御回路２１１は、距離センサー２１７のパラメータを修正するために、発信された信号の電力や、検出された信号の電力などの制御信号を送ることができる。例えば、制御回路２１１は、距離センサー２１７のセンサー要素によって検知された信号の電力不足に応答して、処理回路２１４によって送信された制御信号を受信した後、放出された信号の出力を増加させるため、制御信号を送信することができる。
【００３３】
いくつかの実施形態では、ユーザーは視力低下を防ぐためにシステムを構成できる。ユーザーは、ユーザーの頭部の検出、ユーザーと装置との間の距離（例えば、感度）の判定、装置の動作（例えば効果のタイプ、強度）の修正、ユーザーへの通知をコントロールするように、パラメータを設定できる。
【００３４】
図面.３は、本発明の一実施形態による視力低下を防止する電子装置を構成するための例示的な画面の例示図である。装置３００は、距離センサーとして使用される画面３０７およびカメラ３０８を有する電子装置とすることができる。装置３００は、図面１に示される装置１００および図面２ａ〜ｃに示される装置２１０と実質的に同様であることができ、コンポーネントの説明を後者のいずれか、または全てと共有する。例えば、装置３００は、ユーザーの頭部の画像を捉えるための、一つまたは複数のカメラ３０８を含む距離センサーを具備し得る。（図面１の距離センサー１０６と図２ａの距離センサー２１５と図２ｂの２１６に対応する。）装置３００は、画面３０７（例えば、図１の画面１０５および図２ａ〜図２ｃの画面２１３を参照）、および他の任意の適切な電子機器構成要素、またはそれらの任意の組み合わせを具備し得る。構成画面３０７は、画面３０７上に表示され、以下を制御するためのパラメータを具備し得る。ユーザーの頭部２９０の検出、ユーザーの頭部２９０および装置３００との間の距離の判定、装置の動作の変更、ユーザーへの通知。いくつかの実施形態では、構成画面３０７は、通常視力低下の防止を有効、または無効にするための設定３１１を具備し得る。例えば、ユーザーは設定３１１を「オフ」に設定することができ、その結果、装置３００は、視力低下防止のシステムの機能を実行できなくなる。図面.３の実施形態では、設定３１１を「オン」に設定すると、装置とユーザーの頭部２９０との間の距離を判定し、前記距離が校正距離よりも短いときに、ユーザーに通知できる。いくつかの実施形態では、設定画面３０７は、装置の動作の修正に対応する設定３１２を具備し得る。例えば、ユーザーは、設定３１２を「ブラー画面」に設定し、装置の動作の修正のタイプを指定できる。より具体的に言うと、装置の画面に表示される情報をぼかすために、３１２の設定値は、装置３００内の制御回路に指示することができる（例えば、図面１に示す制御回路１０１および図面２ａの制御回路２１１を参照）。別の例では、ユーザーは、３１２の設定を「暗い画面」、「警告音」、「振動」または「点滅情報」に設定して、装置３００の制御回路にそれぞれ次のことを実行するよう指示できる。装置の画面に表示される情報を暗くする、装置のスピーカーから音を出す、装置の振動部品を振動させる、画面にユーザーに情報メッセージを表示する、または上記のいずれかの組み合わせ。
【００３５】
いくつかの実施形態では、構成画面３０７は、ユーザーの頭部２９０と装置との間の距離を判定する感度に対応する設定３１３を具備し得る。例えば、感度を指定するために、ユーザーは設定３１３を「低」と「高」の間のスライドスケールで設定することができる。より具体的に言うと、３１３設定の値は、装置３００内の処理回路の感度を変更することができる（例えば、図面１の処理回路１０７および図面２ａ〜図面２ｃの処理回路２１４を参照）。オプション３１３が「低」感度に設定されている場合、装置３００の前記処理回路は、前記距離が前記校正距離よりはるかに短いときにだけユーザーに通知することができる。一方、オプション３１３が「高」感度に設定されている場合、装置３００の前記処理回路は、前記距離が前記校正距離より少しでも短いと、既にユーザーに通知することができる。いくつかの実施形態では、構成画面３０７は、装置の動作の修正の強度に対応する３１４設定を具備し得る。例えば、強度を規定するために、ユーザーは３１４設定を「低」と「高」の間のスライドスケールで設定することができる。具体的に言うと、３１４設定値は、装置３００内の制御回路の機能を変更することができる（例：図面１に示す制御回路１０１および図面２ａ〜ｃの制御回路２１１を参照）。オプション３１４が「低」強度に設定されている場合、装置３００の動作は効果タイプ３１２に従って少し修正することができる（例えば装置の画面に表示される情報が、少しぼけることがある）。一方、３１４のオプションが「高」強度に設定されている場合、装置３００の動作は効果タイプ３１２に従って大幅に修正することができる（例：画面上に表示された情報はぼけて、判読不可能となることがある）。
【００３６】
いくつかの実施形態では、構成画面３０７は、処理回路、制御回路、距離センサー、または装置３００の他の構成要素によって使用される、情報の記憶を有効化、または無効化するための３１５設定を具備し得る。ユーザーは、装置３００が情報を記憶しないように、３１５設定を「ＯＦＦ」にすることができる。図面３に示す実施形態では、３１５設定が「オン」に設定されているので、装置３００は情報を保存する。具体的に言うと、３１５設定は、ネットワークを使用して、装置３００のメモリに情報を保存するため、図面１のストレージ１０２に同等のもの、または情報を保存するための装置３００の図面１の通信回路１０３と同等のものに対応することができる。処理回路が信号とデータの処理および分析を行う実施形態では、特定の情報を装置のメモリ内に一時的に保存しなければならず、ユーザーは、そのようなストレージを無効にする構成設定ができないと理解される。
【００３７】
いくつかの実施形態では、ユーザーは、視力低下を防ぐためにシステムを校正することができる。例えば、ユーザーは、ユーザーの頭部２９０から装置までの物理的距離と、それは処理回路によって使用され得る、カメラの画像内の頭部によって測定されたピクセル数との間の関係を校正できる。いくつかの実施形態では、校正画面３０７は、装置３００の校正を実行するための選択肢３１６を具備し得る。例えば、ユーザーは、オプション３１６を選択することによって校正を開始できる。いくつかの実施形態では、ユーザーは校正手順の実行を省略することができ、その場合、デフォルトの校正が処理回路によって使用される（例：図面１の処理回路１０７および図面２ａ〜２ｃの処理回路２１４を参照）。
【００３８】
図面４は、本発明の一実施形態による視力低下防止のために電子装置を校正するために、画面上に表示された例示的な情報の例示図である。
【００３９】
装置４００は、画面と、距離センサーとして使用されるカメラとを有する電子装置とすることができる。装置４００は、図面１に示される装置１００および図面２に示される装置２１０と実質的に同様であり得る。また、コンポーネントの説明を、後者のいずれか、またはすべてと共有する。例えば、装置４００は、ユーザーの頭部２９０の画像を捕捉するための一つ以上のカメラ４０２を含む距離センサーを具備し得る（例：図面１の距離センサー１０６と図面２ａの距離センサー２１５、および図面２ｂの２１６を参照）。装置４００は、画面４０１（例：図面１の画面１０５および図面２ａ〜図面２ｃの画面２１３を参照）および他の任意の適切な電子機器構成要素、またはそれらの任意の組み合わせを具備し得る。
【００４０】
電子装置４００は、装置の校正オプションの一部として画面４０１上に校正メニューを表示することができる。校正画面は、校正補助４１２を含むことができる。図面４に示す実施形態では、校正補助４１２は、頭部の輪郭の半透明画像を含むことができる。いくつかの実施形態においては、画面４０１上に示される校正補助具４１２は、頭部の同心円状輪郭、水平格子、垂直格子、十字線のような幾何学的形状、その他の種類の補助具、または上記の任意の組み合わせを具備し得る。図面４に示す実施形態では、校正補助装置４１２はユーザーへの説明のメッセージ４１１を具備し得る。
【００４１】
前述のように、いくつかの実施形態では、ユーザーは視力の低下防止のために、システムを校正することができる。例えば、ユーザーは、ユーザーの頭から装置までの物理的な距離と、カメラの画面内の一つまたは複数の軸に沿って頭で測定される画素数との関係を調整できる。図面５は、本発明の一実施形態による視力低下防止のために電子装置を校正するための、例示的なプロセス５００のフローチャートである。
【００４２】
プロセス５００は、画像（例：図面１の画像１０５および図面２ａ〜ｃの画像２１３を参照）を具備する電子機器（例：図面１の装置１００または図面２ａ、ｂの装置２１０）と、ユーザーに向けられた一つまたは複数のカメラを具備する距離センサー（例：図面１の距離センサー１０６と図面２ａの距離センサー２１５および図面２ｂの２１６を参照）によって行われる。
【００４３】
プロセス５００は、ブロック５１０から開始できる。ブロック５１０で、カメラを使用してユーザーの頭の画像を捉えることができる。適切な任意のカメラを用い、ユーザーの頭部から拡散された光を使用して、ブロック５１０で画像を取り込むことができる。ブロック５２０では、ユーザーは、電子機器の特定の校正距離を維持し、ユーザーの頭部の画像を校正補助と位置合わせした状態に維持するよう指示することができる（例：図面４の校正補助４１２を参照）。例えば、ブロック５２０で、使用者に向けられた電子装置を半メートルの較正距離に維持するように指示メッセージによって使用者に指示することができる。一方、いくつかの実施形態では、プロセス５００のブロック５２０で、ユーザーは、電子機器をユーザーが選択した校正距離を維持するように指示されることができる。
【００４４】
ブロック５３０で、カメラの画像内のユーザーの頭部またはその一部の画像を検出することができる。前述のように、一つまたは複数のカメラの出力画像（例：単一の写真またはビデオフレーム）を処理するための任意の適切な技法または技法の組み合わせは、（例：図面１の距離センサー１０６および図面２ａの距離センサー２１５および図面２の２１６を参照）ユーザーの頭部またはその一部の画像を検出するために、処理回路（例：図面１の処理回路１０７および図面２ａ、ｂの処理回路２１４を参照）によって使用される。ブロック５４０は、プロセス５００において決定ノードとして機能できる。例えば、ユーザーの頭部またはその一部がブロック５３０で検出された場合、プロセス５００はブロック５５０に進むことができる。
【００４５】
ブロック５５０では、校正の結果として、カメラの画像平面内の軸に沿ってユーザーの頭部によって測定された、いくつかの画素を記憶することができる（例：図面１の記憶装置１０２を参照）。前述のように、いくつかの実施形態では、ユーザーは校正手順の実行を省くことができ、その場合、デフォルト値が校正距離および前記画素数に対して処理回路によって使用される。具体的に言うと、処理回路によって使用される前記画素数のデフォルト値は、カメラのレンズの焦点距離（例：図面１の距離センサー１０６、図面２ａの距離センサー２１５および図２ｂの２１６を参照）、カメラのセンサーサイズおよび人間の頭の平均的な推定サイズから計算できる。ブロック５４０への戻り、ユーザーの頭またはその一部が検出されない場合、プロセス５００はブロック５２０に戻ることができる。
【００４６】
前述のように、電子機器は、ユーザーに向けられた距離センサーを使用して、ユーザーの頭と電子画像との間の距離を判定し、距離が校正距離より短く、ユーザーを視力低下および近視の進行の危険に晒（さら）す場合は、ユーザーに通知する。図面６ａは、本発明の一実施形態による視力低下防止のための、例示的なプロセス６００のフローチャートである。プロセス６００は、画面（例：図面１の画面１０５および図面２ａ〜２ｃの画面２１３参照）を具備する電子機器（図面１の装置１００または図面２ａ、ｂの装置２１０に対応する）およびユーザーに向けられた一つまたは複数のカメラを具有する距離センサー（例:図面１の距離センサー１０６および図面２ａの距離センサー２１５および図面２ｂの２１６を参照）により実行される。いくつかの実施形態では、プロセス６００は、連続ループで装置のバックグラウンドプロセスとして実行できる。
【００４７】
プロセス６００はブロック６１０から開始できる。任意の適切なカメラを使用して、ブロック６１０で、ユーザー頭部から拡散された光を用いて、画像を捉えることができる。ブロック６２０において、ユーザーの頭部の画像またはカメラの画像内のその一部を処理回路によって検出することができる（例：図面１の処理回路１０７および図面２ａ、ｂの処理回路２１４を参照）。ブロック６３０は、プロセス６００での第１の決定ノードとして機能できる。例えば、ブロック６２０においてユーザーの頭部が検出されると、プロセス６００はブロック６４０に進むことができる。一方、ユーザーの頭部またはその一部が検出されない場合、プロセス６００はブロック６１０に戻ることができる。
【００４８】
ブロック６４０において、ユーザーの頭部とディバイスとの間の距離は、処理回路によって判定できる。前述のように、一つまたは複数のカメラ（例：図面１の距離センサー１０６および図面２ａの距離センサー２１５および図面２ｂの２１６を参照）の出力画像（例：単一の写真またはビデオフレーム）を処理するための任意の適切な技術、または技術の組み合わせは、それらがユーザーの頭部の画像を含んでいるかどうかを検出し、ユーザーの頭部とディバイスとの間の距離を判定するために、処理回路によって使用されることができる。例えば、ユーザーの頭部とディバイスの間の距離「Ｄ」は、方程式：Ｄ＝Ｄc・Ｒを使って回路を処理することで判定できる。「Ｄｃ」は校正距離（例：プロセス５００のブロック５２０を参照）、「Ｒ」は、ブロック６４０において、画像平面内の軸に沿って測定された、ユーザーの頭部内のピクセル数「ｎｐ」間の比ｎｐ／ｎｐｃ、「ｎｐｃ」は、校正プロセス５００のブロック５５０で測定された、同様の数の画素である。
【００４９】
ブロック６５０は、プロセス６００において第２の決定ノードとして機能できる。例えば、ユーザーの頭部とディバイスとの間の距離Ｄが校正距離Ｄｃより短い場合（つまり、Ｄ＜Ｄｃ、またはＲ＜１）、処理回路は制御信号を送信することができる。ブロック６７０で、処理回路は、制御信号を制御回路（例：図面１の制御回路１０１および図面２ａ〜２ｃの制御回路２１１を参照）に送信して、ユーザーに通知できる。一方、ユーザーの頭部とディバイスの間の距離が校正距離と同じかそれより長い場合（つまり、Ｄ≧Ｄc、またはＲ≧１）は、処理回路は、ブロック６６０で、制御信号を制御回路に送信し、ユーザーへの通知を停止できる。
【００５０】
前述のように（例：プロセス５００のブロック５２０を参照）、いくつかの実施形態では、校正プロセス５００の間にユーザーが選択した校正距離に電子装置を維持するようにユーザーに指示することができる。この場合、プロセス６００のブロック６５０において、ユーザーの頭部と装置との間の距離が、ユーザーが選択した校正距離よりも短い場合（つまり、Ｒ＜１）、処理回路はブロック６７０で制御回路（例：図面１の制御回路１０１および図面２ａ〜２ｃの制御回路２１１を参照）にユーザーに通知するために制御信号を送ることができる。一方、ユーザーの頭部と装置との間の距離が校正距離と等しいか、またはそれより長い場合（つまり、Ｒ≧１）、処理回路はブロック６６０で、制御信号を制御回路に送信してユーザーへの通知を停止できる。
【００５１】
前述のように、プロセス６００は、連続ループ内の装置のバックグラウンドプロセスとして行うことができる。そのような場合、ブロック６６０またはブロック６７０で終了した後、プロセス６００はブロック６１０に戻ることができる。
【００５２】
前述のように、電子機器の処理回路（例：図面１の処理回路１０７および図面２ａ、ｂの処理回路２１４を参照）は、プロセス５００のブロック５３０又はプロセス６００のブロック６２０における、カメラの画像内のユーザーの頭部の検出性能を向上させるため、オートフォーカスや露出制御など、または上記のいずれかの組み合わせなどの、カメラの追加機能を利用できる。例えば、任意の適切な処理回路は、カメラの露出を増大させるために（例：図面１の距離センサー１０６および図面２ａの距離センサー２１５および図面２ｂの２１６を参照）、ユーザーの頭部の画像の露出不足を測定し、制御回路に制御信号を送ることができる（例：図面１の制御回路１０１および図面２ａ〜２ｃの制御回路２１１を参照）。
【００５３】
前述のように、電子ディバイスは、ユーザーに向けられた距離センサーを使用してユーザーと電子画面との間の距離を判定し、距離が校正距離より短く、ユーザーを視力低下および近視の発達の危険にさらす場合、ユーザーに通知することができる。図面６ｂは、本発明の一実施形態による視力低下を防止するための例示的なプロセス６０１の流れ図である。プロセス６０１は、プロセス６００の変形であり、プロセス６００と共通のその全てのブロックの説明を共有する。プロセス６０１は、画面（例：図面１の画面１０５および図面２ａ-２ｃの画面２１３を参照）を具備する電子機器（図面１の装置１００または図面２ａ、ｂの装置２１０に対応）およびユーザーに向けられる信号発信機およびセンサー（例：図面１の距離センサー１０６ならびに図面２ｃのセンサー２１８および発信機２１９を参照）を含む距離センサーによって行われる。
【００５４】
プロセス６０１は、ブロック６３５から開始できる。ブロック６３５では、信号発信機およびセンサーを含む距離センサーを使用して、ユーザーの頭部を検出できる。任意の適切な距離センサーは、ユーザーの頭部から反射され、センサーによって検出されたエミッタが放射する信号を使用して、頭部を検出できる。ブロック６４０において、ユーザーの頭部とディバイスとの間の距離が処理回路によって決定される（例：図面１の処理回路１０７および図面２ｃの信号処理回路２２０を参照）。ブロック６５０は、プロセス６０１において決定ノードとして機能できる。例えば、ユーザーの頭部と装置との間の距離が校正距離より短い場合、処理回路は制御信号を制御回路（例：図面１の制御回路１０１および図面２ａ〜ｃの制御回路２１１を参照）に送り、ブロック６７０でユーザーに通知できる。一方、ユーザーの頭部とディバイスの間の距離が校正距離より長い場合、処理回路は、制御信号を制御回路（例：図１の制御回路１０１および図面２ａ〜図面２ｃの制御回路２１１を参照）に送り、ブロック６６０でユーザーへの通知を停止できる。
【００５５】
さらに、プロセス６００およびプロセス６０１のブロック６６０および６７０でユーザーに通知する目的のため、いくつかの実施形態においては、制御回路は、装置３００の設定３１２（すなわち「効果タイプ」）に従ってディバイスの動作を修正できる。
【国際調査報告】
2019523514.tif 000012
2019523514.tif 000013
2019523514.tif 000014